(57)【特許請求の範囲】
【請求項１】
円柱側部に平行な２面を形成して平行面と円形面とを有する回動支軸を備えた融着接続トレイの姿勢を決定するための融着接続トレイのロック機構であって、
この融着接続トレイのロック機構は、
融着接続トレイの回動支軸が導入される導入口と、
円形であって回動支軸の円形面を当接させて回動させる回動孔と、
回動支軸に対してやや大きめの相似形状を含むように形成されており、回動支軸の平行面を当接させて固定する固定孔と、
を含み、導入口、回動孔および固定孔の順に連通する一のロック機構用溝に融着接続トレイの回動支軸を挿入して構成し、
このロック機構用溝に挿入された融着接続トレイの回動支軸が回動孔に位置するときに融着接続トレイを上下方向に回動させ、また、この回動支軸が回動孔から移動して固定孔に位置するときに融着接続トレイを起こした状態に維持することを特徴とする融着接続トレイのロック機構。
【請求項２】
請求項１に記載の融着接続トレイのロック機構において、
前記導入口と前記回動孔との間に抜け防止用ストッパを設け、前記回動孔から前記導入口への回動支軸の移動を抑止することを特徴とする融着接続トレイのロック機構。
【請求項３】
請求項１または請求項２に記載の融着接続トレイのロック機構において、
前記回動孔と前記固定孔との間に滑り防止用ストッパを設け、前記固定孔内での前記回動支軸の回動を抑止することを特徴とする融着接続トレイのロック機構。
【請求項４】
請求項１〜請求項３の何れか１項に記載の融着接続トレイのロック機構において、
融着接続トレイを多段に積層させるため、複数のロック機構を多段に設けることを特徴とする融着接続トレイのロック機構。
【請求項５】
請求項４に記載の融着接続トレイのロック機構において、
融着接続トレイを下方向に回動させた場合に所定位置で融着接続トレイの移動を拘束する移動防止用ストッパーを全ての融着接続トレイ用に多段に設けることを特徴とする融着接続トレイのロック機構。
【請求項６】
請求項１〜請求項５の何れか１項に記載の融着接続トレイのロック機構において、
この融着接続トレイのロック機構は、
前記導入口、前記回動孔、および、前記固定孔の下側が形成された第１部材と、
前記導入口、前記回動孔、および、前記固定孔の上側が形成された第２部材と、
を用い、
第１部材および第２部材を重ね合わせて上下ともに完全な形状の導入口、回動孔、および、固定孔を形成することを特徴とする融着接続トレイのロック機構。
【発明の詳細な説明】
【０００１】
【発明の属する技術分野】
本発明は、光ファイバケーブルの中継点等に設けられる光ファイバケーブル配線箱において、光ファイバケーブルの芯線どおしの融着接続部および余長部を収容する融着接続トレイの姿勢を決定するロック機構に関する。
【０００２】
【従来の技術】
近年、いわゆるインターネットのように大容量のデータ通信の必要性が増加している。そこで、多量のデータを伝達できる光ファイバケーブルを利用した通信回線が整備されつつある。光ファイバケーブルから分岐・中継する必要がある場合、中継点に設けた光ファイバケーブル配線箱等の内部において光ファイバケーブルの相互の芯線どおしを接続することとなる。
【０００３】
光ファイバケーブルは、周知のように中心部のテンションメンバの周りに複数の芯線を含む芯線ユニットを多数配置し、これらを被覆材で覆ってケーブル状とした構造が一般的である。このような光ファイバケーブル相互を接続する場合、芯線ユニットから引き出した芯線の端部どおしをスリーブ内で突き合わせて加熱融着することによって接続する。この場合、芯線に余裕を持たせたループ状の余長部を持たせた上で接続する。
このような芯線の余長部および融着接続部を纏めて収容するため、光ファイバケーブルの接続中継点では、これら余長部および融着接続部を一括収容する融着接続トレイが、光ファイバケーブル配線箱内に多段に積層して配置される。
【０００４】
このような融着接続トレイの先行技術例として、例えば本出願人による特許出願（特願２０００−６１８０１号，発明の名称：光ファイバケーブルの融着接続トレイ）が存在する。この特許出願された発明によれば、屋外の電柱に電力線とともに共架された光ファイバケーブル、または、洞道内に敷設された光ファイバケーブルなどに対して、分岐光ファイバケーブルを接続して分岐点を生成するような接続において、融着接続部が中央以外の位置となる場合でもスリーブを挟持できるようにし、光ファイバの芯線を所定の曲率で引き回しできるようにする融着接続トレイを備えるものである。
【０００５】
このような光ファイバケーブル配線箱の一例としてクロージャが挙げられる。図７は従来の光ファイバケーブルの融着接続トレイを含むクロージャの内観を示す内観図である。図７で示すように、一般的にケース５００ａ，５００ｂからなるクロージャ５００内部に融着接続トレイ６００が多段に積層されて収容され、多数の融着接続ができるようになされている。
【０００６】
【発明が解決しようとする課題】
クロージャ５００は、柱上や洞道内に配置されることからも、クロージャ５００の小型化・軽量化が必要とされている。このため、融着接続トレイ６００自体を小型化するという選択肢も考えられるが、光ファイバの芯線を所定の曲率で引き回しできるようにする必要があることからも、融着接続トレイ６００自体の小型化には限度があり、その他の箇所の設計を変更して対応する必要がある。
【０００７】
従来のクロージャにおいては、融着接続トレイ６００を多段に収容する場合に、地面に対して略平行に引き出し・収容されるようなトレイホルダー７００が用いられており、融着接続トレイ６００分の厚さを必要としていた。
そこで、これら融着接続トレイ６００を回動自在とし、通常下方へ向けて収容し、融着接続等が必要になった場合に、所望の融着接続トレイ６００を選択できるようにしてクロージャ５００の厚みを低減させたいという要請があった。
【０００８】
本発明は、上記問題点を解決するためになされたものであり、その目的は、融着接続トレイを回動自在にし、平時は下方へ向けて収容し、融着接続などの作業が必要になった場合に、所望の融着接続トレイを選定して作業を行えるように他の融着接続トレイを上昇・固定させる融着接続トレイのロック機構を提供することにある。
【０００９】
【課題を解決するための手段】
上記課題を解決するために、請求項１記載の発明は、
円柱側部に平行な２面を形成して平行面と円形面とを有する回動支軸を備えた融着接続トレイの姿勢を決定するための融着接続トレイのロック機構であって、
この融着接続トレイのロック機構は、
融着接続トレイの回動支軸が導入される導入口と、
円形であって回動支軸の円形面を当接させて回動させる回動孔と、
回動支軸に対してやや大きめの相似形状を含むように形成されており、回動支軸の平行面を当接させて固定する固定孔と、
を含み、導入口、回動孔および固定孔の順に連通する一のロック機構用溝に融着接続トレイの回動支軸を挿入して構成し、
このロック機構用溝に挿入された融着接続トレイの回動支軸が回動孔に位置するときに融着接続トレイを上下方向に回動させ、また、この回動支軸が回動孔から移動して固定孔に位置するときに融着接続トレイを起こした状態に維持することを特徴とする。
【００１０】
また、請求項２記載の発明は、
請求項１に記載の融着接続トレイのロック機構において、
前記導入口と前記回動孔との間に抜け防止用ストッパを設け、前記回動孔から前記導入口への回動支軸の移動を抑止することを特徴とする。
【００１１】
また、請求項３記載の発明は、
請求項１または請求項２に記載の融着接続トレイのロック機構において、
前記回動孔と前記固定孔との間に滑り防止用ストッパを設け、前記固定孔内での前記回動支軸の回動を抑止することを特徴とする。
【００１２】
また、請求項４記載の発明は
請求項１〜請求項３の何れか１項に記載の融着接続トレイのロック機構において、
融着接続トレイを多段に積層させるため、複数のロック機構を多段に設けることを特徴とする。
【００１３】
また、請求項５記載の発明は、
請求項４に記載の融着接続トレイのロック機構において、
融着接続トレイを下方向に回動させた場合に所定位置で融着接続トレイの移動を拘束する移動防止用ストッパーを全ての融着接続トレイ用に多段に設けることを特徴とする。
【００１４】
また、請求項６記載の発明は、
請求項１〜請求項５の何れか１項に記載の融着接続トレイのロック機構において、
この融着接続トレイのロック機構は、
前記導入口、前記回動孔、および、前記固定孔の下側が形成された第１部材と、
前記導入口、前記回動孔、および、前記固定孔の上側が形成された第２部材と、
を用い、
第１部材および第２部材を重ね合わせて上下ともに完全な形状の導入口、回動孔、および、固定孔を形成することを特徴とする。
【００１５】
【発明の実施の形態】
続いて、本発明の第１実施形態となる融着接続トレイのロック機構について説明する。
まず、融着接続トレイが収容される光ファイバー配線箱の一具体例であるクロージャについて概略説明する。図１はクロージャの内観を示す斜視図、図２はクロージャのケースを取り去った場合の内部構造を示す斜視図、図３は融着接続トレイおよびトレイ回動補助治具を示す斜視図、図４は同じく右側面図、図５は同じく要部拡大図である。
【００１６】
クロージャ１は、図１で示すように略同一形状の箱であるケース１ａとケース１ｂとを組み合わせて構成される。ケース１ａとケース１ｂとは蝶番１ｃにより回動自在に取り付けられている。ケース１ａ，１ｂにはバックル１ｄが配置されており、バックル１ｄを操作してクロージャ１の開閉を行うようになされている。
【００１７】
電柱間に既に架設されて今まで通過していた既存の光ファイバケーブル（以下通過ケーブルという。）２から芯線を引き出して分岐させるため、このクロージャ１は吊り金具３により、電柱間に張架されているメッセンジャワイヤ４の２箇所で固定され、メッセンジャワイヤ４から吊り下げられる。
このように外界で用いられ、雨水・氷雪にさらされるクロージャ１内部の気密性を保持するため、図示しないクロージャ用ゴムパッキンにより気密が保持される。ケース１ａとケース１ｂとの接合部に隙間が生じて気密性が破られるという事態は回避される。
【００１８】
このクロージャ１の内部では図２で示すようにベースプレート１ｅが固定されており、このベースプレート１ｅには、図３で示すトレイ回動補助治具５が固定されている。トレイ回動補助治具５には、図１〜図５で示すように、融着接続トレイ６が多段に積層収容される。以下、これらトレイ回動補助治具５および融着接続トレイ６を総称する場合は、接続収容部７という。図１で示すように、クロージャ１内に接続収容部７が収容され、融着接続トレイ６はトレイ回動補助治具５により回動自在に取り付けられる。なお、トレイ回動補助治具５および融着接続トレイ６については後に詳述する。
【００１９】
図２で示すように、通過ケーブル２は、通過ケーブル用のケーブル固定金具８により両側２箇所で固定される。さらに分岐光ファイバケーブル９のテンションメンバ９ａは、テンションメンバ固定金具１０により固定される。さらに融着接続トレイ６はクロージャ１内に収容されているときはバンド１１より結束され、移動しないように固定される。
【００２０】
このようにクロージャ１では、通過ケーブル２、分岐光ファイバケーブル９のテンションメンバ９ａおよびメッセンジャワイヤ４が強固に固定されてクロージャ１が移動しないため、光ファイバ芯線の融着接続部に不要な力が掛かる事態は回避される。
さらに、被覆材が取り去られた通過ケーブル２には、その周囲を覆うスロットプロテクタ１２が配置されて、作業員が不用意に通過ケーブルを触る事態を防止する。
このようなクロージャ１を用いて新たに融着接続作業を行う場合、架空に配置されたクロージャ１を開け、必要な融着接続トレイ６を選択して融着接続作業を行い、融着接続作業終了後にクロージャ１を閉じることとなる。
【００２１】
続いて、ロック機構を有するトレイ回動補助治具５、および、融着接続トレイ６について説明する。
融着接続トレイ６は、トレイ底面の側部に立設される周壁により箱状に形成され、箱内に光ファイバケーブルの芯線どおしの融着接続部および余長部が収容されるようになされている。融着接続部および余長部を収容するために各種の形態を取ることができる。
【００２２】
さらに融着接続トレイ６は、図３，図４で示すように、２個のトレイ回動補助治具５に取り付けられるように２本の回動支軸６ａが取り付けられている。回動支軸６ａは、トレイ回動補助治具５のロック機構用溝５０に取り付けられる。図４，図５でも示すようにトレイ回動補助治具５では、これら複数のロック機構用溝５０が多段に設けられており、これら複数のロック機構用溝５０に融着接続トレイ６の回動支軸６ａが取り付けられて、融着接続トレイ６も多段に取り付けられる。
【００２３】
ロック機構についてさらに詳述する。回動支軸６ａは、図５の部分拡大図でも示すように円柱に平行な２平面を形成したものであり、平行面６ｂと円形面６ｃとを有する。
図５で示すようにトレイ回動補助治具５のロック機構用溝５０には、導入口５０ａ、回動孔５０ｂ、固定孔５０ｃが設けられている。さらに、その境目においてはさらに、抜け防止用ストッパ５０ｄ、滑り防止用ストッパ５０ｅがそれぞれ設けられている。
ロック機構は、これらロック機構用溝５０に融着接続トレイ６の回動支軸６ａを挿入して構成される。
【００２４】
回動支軸６ａは、導入口５０ａを通じて導入される。この導入口５０ａには回動支軸６ａの抜け防止用に抜け防止用テーパが設けられており、導入口５０ａと回動孔５０ｂとの間に抜け防止用ストッパ５０ｄが設けられている。これにより回動支軸６ａを回動孔５０ｂに入れる場合には、回動支軸６ａを導入口５０ａから押し込むにつれて周囲が押し広げられるようになされ、一旦回動支軸６ａが回動孔５０ｂに押し込められると、回動自在に取り付けられるともに抜け防止用ストッパ５０ｄにより抜けなくなるように構成されている。
【００２５】
回動孔５０ｂでは、回動支軸６ａの円形面６ｃのみが当接して回動自在となるように設けられた円形の孔であり、これにより図５でも明らかなように融着接続トレイ６を回動自在とする。
固定孔５０ｃでは、回動支軸６ａと相似形状であって、かつミクロンオーダーで少し大きく形成されている。回動支軸６ａの平行面６ｂが当接して固定されるように設けられており、これにより図５でも明らかなように融着接続トレイ６を起こした状態で固定する。
この場合、滑り防止用ストッパ５０ｅにより、回動支軸６ａが固定孔５０ｃ内で回動するような事態を防止する。
【００２６】
このように構成されたトレイ回動補助治具５および融着接続トレイ６を用いるロック機構動作について、実際の接続収容動作を例示しつつ説明する。
図４で示すように上から第１接続収容トレイ６ｄ、第２接続収容トレイ６ｅ、第３接続収容トレイ６ｆ、第４接続収容トレイ６ｇがあるものとし、この中から第３接続収容トレイ６ｆで接続収容作業をする必要性が生じたものと想定する。
【００２７】
まず、上から２つの第１，第２融着接続トレイ６ｄ，６ｅを起こした後、これら融着接続トレイの姿勢を起こした状態で維持する必要がある。そこで回動支軸６ａの平行面６ｂと固定孔５０ｃの平行面を略平行に維持した状態で移動させることで固定孔５０ｃに回動支軸６ａが填め込まれ、第１融着接続トレイ６ｄは姿勢を起こした状態になる。
【００２８】
図示しないが同様に第２融着接続トレイ６ｅも姿勢を起こした状態になる。
作業員は第３融着接続トレイ６ｆに対して各種作業をすることとなる。この場合、図４で示す矢印Ａ方向に力が加わるものの図５で示す移動防止用ストッパ５０ｆにより移動しないようになされる。移動防止用ストッパ５０ｆは、全部の融着接続トレイ６用に多段に設けられている。
【００２９】
作業終了後、操作員は、先に説明した動作の逆動作を行い、第１，第２融着接続トレイ６ｄ，６ｅを引き抜き、回動支軸６ａを固定孔５０ｃから回動孔５０ｂまで移動させれば、第１，第２融着接続トレイ６ｄ，６ｅは回動自在となる。これら第１，第２後融着接続トレイ６ｄ，６ｅを第３融着接続トレイ６ｆの上に重ね、バンド１１で結束固定した後、クロージャ１を閉じることで一連の作業が終了したこととなる。
【００３０】
本実施形態によれば、回動自在となるように多段に積層された融着接続トレイの中から融着接続作業を行う融着接続トレイ６を選択し、この融着接続トレイ６の上側にある融着接続トレイを起こすように姿勢を決定するロック機構を設けたことで、ケース全体の厚みを低減させたクロージャに融着接続トレイを収容することができ、また、作業員が融着接続作業をする場合であっても、所望の融着接続トレイを選択・露出させるとともに融着接続作業空間を確保し、高い作業性も維持することができる。
【００３１】
続いて、本発明の第２実施形態のロック機構について説明する。図６は第２実施形態のロック機構を含むトレイ回動補助治具を示す構成図であり、図６（ａ）はその分解図、図６（ｂ）はその組立図である。
トレイ回動補助治具２０は、第１部材２０ａおよび第２部材２０ｂとを組み合わせるようになされている。
図６（ａ）で示すように、第１部材２０ａには、導入口２００ａ、回動孔２００ｂ、および、固定孔２００ｃの下側が形成されている。また、第２部材２０ｂには、導入口２００ａ、回動孔２００ｂ、および、固定孔２００ｃの上側が形成されている。
【００３２】
これら第１部材２０ａ、および、第２部材２０ｂには、切り孔またはねじ孔が設けられており、図示しないねじにより、第１部材２０ａ、および、第２部材２０ｂを重ね合わせるようにねじ止して一体に固定する。このように組み合わせることで図６（ｂ）で示すように、右側面から見て導入口２００ａ、回動孔２００ｂ、および、固定孔２００ｃの上下両側が完全に形成される。
【００３３】
この融着接続トレイのロック機構では、例えば、第１部材２０ａは融着接続トレイ６を支える必要性が高いことから高剛性な材料を用いて形成し、また、第２部材２０ｂは融着接続トレイ６を支える必要性が低いことから柔軟性の高いバネ材などを用いるようにすれば、回動支軸６ａを押し込む際に第２部材２０ｂのトレイ抜け防止用テーパが上昇するため、破損することなく入れることができる。なお、第１実施形態でも説明したトレイの抜け防止用テーパ、抜け防止用ストッパ、および、滑り防止用ストッパを設けるようにしても良いのはいうまでもない。
【００３４】
【発明の効果】
本発明によれば、一つの部品（トレイ回動補助治具５）に一体化することで部品点数およびコストの削減が可能となる。
また、融着接続トレイを後から増設する際に簡単に取り付けることができる。
また、一旦挿入したトレイを再度外すことはないため、導入口に設けた抜け防止テーパおよび抜け防止ストッパにより抜け防止機能を満たすようにした。
【００３５】
また、滑り防止ストッパにより固定孔における回動支軸の回動という事態を防止することができる。
また、トレイおよびトレイ回動補助治具を樹脂製とし、樹脂の弾性を利用して回動孔へはめ込んで組み立てることができる。
また、トレイ回動補助治具を第１部材および第２部材に分けて、一方を樹脂製に、他方をバネ材などの弾性体とすることで、融着接続トレイを回動孔へはめ込み易くすることができる。
【００３６】
総じて、融着接続トレイを回動自在にし、平時は下方へ向けて収容し、融着接続などの作業が必要になった場合に、所望の融着接続トレイを選定して作業を行えるように他の融着接続トレイを上昇・固定させる融着接続トレイのロック機構を提供することができる。
【図面の簡単な説明】
【図１】クロージャの内観を示す斜視図である。
【図２】クロージャのケースを取り去った場合の内部構造を示す斜視図である。
【図３】融着接続トレイおよびトレイ回動補助治具を示す斜視図である。
【図４】融着接続トレイおよびトレイ回動補助治具を示す右側面図である。
【図５】融着接続トレイおよびトレイ回動補助治具を示す要部拡大図である。
【図６】第２実施形態のロック機構を含むトレイ回動補助治具を示す構成図である。
【図７】従来の光ファイバケーブルの融着接続トレイを含むクロージャの内観を示す内観図である。
【符号の説明】
１                              クロージャ
１ａ                        ケース
１ｂ                        ケース
１ｃ                        蝶番
１ｄ                        バックル
１ｅ                        ベースプレート
２                              通過ケーブル
３                              吊り金具
４                              メッセンジャワイヤ
５                              トレイ回動補助治具
５０                          ロック機構用溝
５０ａ                      導入口
５０ｂ                      回動孔
５０ｃ                      固定孔
５０ｄ                      抜け防止用ストッパ
５０ｅ                      滑り防止用ストッパ
５０ｆ                      移動防止用ストッパ
６                              融着接続トレイ
６ａ                          回動支軸
６ｂ                          平行面
６ｃ                          円形面
６ｄ                          第１接続収容トレイ
６ｅ                          第２接続収容トレイ
６ｆ                          第３接続収容トレイ
６ｇ                          第４接続収容トレイ
７                              接続収容部
８                              ケーブル固定金具
９                              分岐光ファイバケーブル
９ａ                          テンションメンバ
１０                            テンションメンバ固定金具
１１                            バンド
１２                            スロットプロテクタ
２０                            トレイ回動補助治具
２０ａ                        第１部材
２０ｂ                        第２部材
２００                        ロック機構用溝
２００ａ                    導入口
２００ｂ                    回動孔
２００ｃ                    固定孔
【図１】
0004155379.tif 000002
【図２】
0004155379.tif 000003
【図３】
0004155379.tif 000004
【図４】
0004155379.tif 000005
【図５】
0004155379.tif 000006
【図６】
0004155379.tif 000007
【図７】
0004155379.tif 000008